(57)【要約】【課題】電子レンジで加熱しても、加熱により内部で発生した蒸気を、所定の部位から確実に放出させ、電子レンジ内などが汚損されることのない蒸気抜き機能を有する電子レンジ用包装袋を提供する。【解決手段】重ね合わせたフィルムの周縁部を封止する周縁シール部と、周縁シール部で囲まれた収納部とを設けた電子レンジ用包装袋であって、電子レンジ用包装袋の一隅の前記周縁シール部に、周縁シール部の内縁が収納部側に延設された蒸気抜きシール部を設け、蒸気抜きシール部にその外縁より内縁に向けて蒸気抜き切込又はスリットを設けた。【選択図】図１
2012056596.tif 000002
【特許請求の範囲】
【請求項１】
重ね合わせたフィルムの周縁部を封止する周縁シール部と、該周縁シール部で囲まれた収納部とを設けた電子レンジ用包装袋であって、該電子レンジ用包装袋の一隅の前記周縁シール部に、該周縁シール部の内縁が前記収納部側に延設された蒸気抜きシール部を設け、該蒸気抜きシール部にその外縁より内縁に向けて蒸気抜き切込又はスリットを設けたことを特徴とする電子レンジ用包装袋。
【請求項２】
重ね合わせたフィルムの周縁部を封止する周縁シール部と、該周縁シール部で囲まれた収納部とを設けた電子レンジ用包装袋であって、該電子レンジ用包装袋の一隅の前記周縁シール部に、該周縁シール部の内縁が前記収納部側へ突き出た蒸気抜きシール部を設け、該蒸気抜きシール部にその外縁より内縁に向けて蒸気抜き切込又はスリットを設けたことを特徴とする請求項１に記載の電子レンジ用包装袋。
【請求項３】
重ね合わせたフィルムの周縁部を封止する周縁シール部と、該周縁シール部で囲まれた収納部とを設けた電子レンジ用包装袋であって、該電子レンジ用包装袋の一隅に、前記収納部側へ突き出た切欠き部を設け、該切欠き部の周縁をシールした蒸気抜きシール部を設け、該蒸気抜きシール部にその外縁より内縁に向けて蒸気抜き切込又はスリットを設けたことを特徴とする請求項１または２に記載の電子レンジ用包装袋。
【請求項４】
前記電子レンジ用包装袋が、前記周縁シール部の一辺に折込部を設けて底部シール部とした自立袋であって、底シール部に対向する天辺部の左右いずれかの一隅に前記蒸気抜きシール部を設けたことを特徴とする請求項１乃至３のいずれか1項に記載の電子レンジ用包装袋。
【請求項５】
前記電子レンジ用包装袋の前記蒸気抜きシール部と隣接する隅部の周縁シール部に広幅シール部を設けたことを特徴とする請求項１乃至４のいずれか1項に記載の電子レンジ用包装袋。
【請求項６】
前記電子レンジ用包装袋の前記蒸気抜きシール部のシール強度が、前記周縁シール部のシール強度より弱いことを特徴とする請求項１乃至５のいずれか1項に記載の電子レンジ用包装袋。
【発明の詳細な説明】
【技術分野】
【０００１】
本発明は、電子レンジ用包装袋に関するものである。
【背景技術】
【０００２】
従来、調理済みのあるいは半調理済の食品等を耐熱性のプラスチックフィルムからなる包装袋に充填して、食する直前に電子レンジにより加熱して調理する包装食品が提案されている。
【０００３】
しかし、この包装食品は電子レンジで加熱すると、加熱時に食品等から発生する蒸気圧などの内圧により、包装袋が破裂して内容物が飛散してしまい、電子レンジの内部を汚染してしまう欠点があった。
【０００４】
このため、電子レンジで加熱する前に、あらかじめ、包装袋に、例えば、ハサミ等を用いて小さい孔等を開けて、あるいは、袋の一部を切り取って、包装袋内部の内圧の上昇を抑えて包装袋の破裂を防止していた。 
【０００５】
しかしながらこの方法では、加熱後発生する蒸気は、直ぐに包装袋の外に放出されてしまうため、蒸気による蒸し調理効果が低減されるとともに、包装袋内部の食品の水分が蒸散して、食品が劣化することがあった。そのため、電子レンジ加熱により自動的に開口する機構を設けた電子レンジ用包装袋が種々提案されている。
【０００６】
例えば、側縁シール部の上縁寄りに開封用のノッチを形成し、このノッチの位置に対応して、側縁シール部の内縁ａから内側に突き出た突出シール部を形成し、ノッチの内端を、突出シール部付近、突出シール部に接する位置または突出シール部内に位置させ、ノッチ周囲の側縁シール部と突出シール部に、それぞれ易剥離性フィルムを挟み込ませた電子レンジ用包装袋がある（特許文献１）。
【０００７】
また、略矩形の本体フィルムの外縁ｂを帯状に封止するシール帯を備え、シール帯が、収容部を囲む外縁ｂシール部と、外縁ｂシール部から収容部側に折れ曲がり、収容部側に角部を有して突出する蒸気抜き部とを備え、蒸気抜き部の角部と収容部の中心との距離が、外縁ｂシール部と収容部の中心との距離よりも短くなっている電子レンジ用包装袋がある（特許文献２）。
【０００８】
公知文献を以下に示す。
【先行技術文献】
【特許文献】
【０００９】
【特許文献１】特開２００６−１４３２３７号公報
【特許文献２】特開２００７−２９７０８１号公報
【発明の概要】
【発明が解決しようとする課題】
【００１０】
前述の特許文献1の電子レンジ用包装袋は、易剥離性フィルムを部分的に挟み込みこませる必要があって製造が複雑になる。また、特許文献２の電子レンジ用包装袋は、蒸気の発生により、電子レンジ用包装袋を膨張させ、蒸気抜き部をシール後退させて通気させる
ものであるが、シール後退が進まず内圧があがりすぎてしまい、通気した際に蒸気抜き部から急激に蒸気が噴出するなどの問題がある。
【００１１】
本発明は、上記した問題点を解決するためになされたもので、電子レンジで加熱しても、加熱により内部で発生した蒸気を、所定の部位から確実に放出させ、電子レンジ内などが汚損されることのない蒸気抜き機能を有する電子レンジ用包装袋を提供することを課題とする。
【課題を解決するための手段】
【００１２】
本発明は係る課題に鑑みなされたものであり、請求項１の発明は、重ね合わせたフィルムの周縁部を封止する周縁シール部と、該周縁シール部で囲まれた収納部とを設けた電子レンジ用包装袋であって、該電子レンジ用包装袋の一隅の前記周縁シール部に、該周縁シール部の内縁が前記収納部側に延設された蒸気抜きシール部を設け、該蒸気抜きシール部にその外縁より内縁に向けて蒸気抜き切込又はスリットを設けたことを特徴とする電子レンジ用包装袋である。
【００１３】
本発明の電子レンジ用包装袋は、以上のような構成であって、収納部に食品などの収納物を充填シールして、電子レンジにて加熱したときに、収納物から発生した蒸気などによって膨張して、収納部が膨らみ、周縁シール部より収納部側に延設された蒸気抜きシール部の内縁がシール後退し、また、収納部が膨らんだことにより、蒸気抜き切込から内縁に向けて裂けて、収納部が外気と連通して、この部位から蒸気などが外気に放出される。蒸気抜きシール部が、収納物より上になるようにして、電子レンジで加熱し、またそのまま取り出せば、電子レンジ内などが汚損されることがない。
【００１４】
本発明の請求項２の発明は重ね合わせたフィルムの周縁部を封止する周縁シール部と、該周縁シール部で囲まれた収納部とを設けた電子レンジ用包装袋であって、該電子レンジ用包装袋の一隅の前記周縁シール部に、該周縁シール部の内縁が前記収納部側へ突き出た蒸気抜きシール部を設け、該蒸気抜きシール部にその外縁より内縁に向けて蒸気抜き切込又はスリットを設けたことを特徴とする請求項１に記載の電子レンジ用包装袋である。
【００１５】
本発明の電子レンジ用包装袋は、以上のような構成であって、収納部に食品などの収納物を充填シールして、電子レンジにて加熱したときに、収納物から発生した蒸気などによって膨張して、収納部が膨らみ、蒸気抜きシール部の収納部側へ突き出た内縁がシール後退し、また、収納部が膨らんだことにより、蒸気抜き切込から内縁に向けて裂けて、収納部が外気と連通して、この部位から蒸気などが外気に放出される。蒸気抜きシール部が、収納物より上になるようにして、電子レンジで加熱し、またそのまま取り出せば、電子レンジ内などが汚損されることがない。
【００１６】
本発明の請求項３の発明は、重ね合わせたフィルムの周縁部を封止する周縁シール部と、該周縁シール部で囲まれた収納部とを設けた電子レンジ用包装袋であって、該電子レンジ用包装袋の一隅に、前記収納部側へ突き出た切欠き部を設け、該切欠き部の周縁をシールした蒸気抜きシール部を設け、該蒸気抜きシール部にその外縁より内縁に向けて蒸気抜き切込又はスリットを設けたことを特徴とする請求項１または２に記載の電子レンジ用包装袋である。
【００１７】
本発明の電子レンジ用包装袋は、以上のような構成であって、収納部に食品などの収納物を充填シールして、電子レンジにて加熱したときに、収納物から発生した蒸気などによって膨張して、収納部が膨らむ。このとき収納部側へ突き出た切欠き部があるので、変形しやすく、且つ、蒸気抜きシール部の切欠き部により収納部側へ突き出た内縁がシール後退し、また、収納部が膨らんだことにより、蒸気抜き切込から内縁に向けて裂けて、収納部が外気と連通して、この部位から蒸気などが外気に放出される。蒸気抜きシール部が、収納物より上になるようにして、電子レンジで加熱し、またそのまま取り出せば、電子レンジ内などが汚損されることがない。
【００１８】
本発明の請求項４の発明は、前記電子レンジ用包装袋が、前記周縁シール部の一辺に折込部を設けて底部シール部とした自立袋であって、底シール部に対向する天辺部の左右いずれかの一隅に前記蒸気抜きシール部を設けたことを特徴とする請求項１乃至３のいずれか１項に記載の電子レンジ用包装袋である。
【００１９】
本発明はさらに、周縁シール部１の一辺に折込部を設けて底シール部３とした自立袋としたので、電子レンジで加熱するとき、自立させて蒸気抜きシール部を上にして加熱することができ、またそのまま取り出せば、電子レンジ内などが汚損されることがない。また、店舗で陳列するときに、表面デザインなどが見やすいように、自立させて陳列することができる。
【００２０】
本発明の請求項５の発明は、前記電子レンジ用包装袋の前記蒸気抜きシール部と隣接する隅部の周縁シール部に広幅シール部を設けたことを特徴とする請求項１乃至４のいずれか1項に記載の電子レンジ用包装袋である。
【００２１】
本発明はさらに、広幅シール部を設けたことから、電子レンジで加熱して、収納部が膨んだときに、蒸気抜きシール部にその圧力を集中させることができる。また、加熱後に広幅シール部を持てば、熱くなく持つことができる。
【００２２】
本発明の請求項６の発明は、前記電子レンジ用包装袋の前記蒸気抜きシール部のシール強度が、前記周縁シール部のシール強度より弱いことを特徴とする請求項１乃至３５いずれか1項に記載の電子レンジ用包装袋である。
【００２３】
本発明はさらに、蒸気抜きシール部のシール強度が、周縁シール部のシール強度より弱いので、収納部に食品などの収納物を充填シールして、電子レンジにて加熱したときに、収納物から発生した蒸気などによって膨張して、収納部が膨らんだとき、蒸気抜きシール部の内縁のシール後退が、周縁シール部の内縁のシール後退より進みやすくなり、蒸気抜きシール部以外の周縁シール部で収納部が外気と連通して、蒸気あるいは収納物が突出してしまうことが無い。
【発明の効果】
【００２４】
本発明の電子レンジ用包装袋は、電子レンジで加熱しても、加熱により内部で発生した蒸気を、確実に蒸気抜きシール部から放出させることができるので、電子レンジ内などが汚損されることがない。
【図面の簡単な説明】
【００２５】
【図１】本発明の電子レンジ用包装袋の一例を模式的に示した説明図である。
【図２】本発明の電子レンジ用包装袋の蒸気抜きシール部に設けた蒸気抜き切込又はスリットの形状例を示した部分拡大図である。
【図３】本発明の電子レンジ用包装袋の他の例を模式的に示した説明図である。
【図４】（Ａ）図３の丸で囲んだＸの部分を取り出した説明図である。（Ｂ）図３（Ａ）のＸの部分で、蒸気抜き切込から内縁に向けて裂けることを示す説明図である。
【図５】本発明の電子レンジ用包装袋のさらに他の例を模式的に示した説明図である。
【図６】本発明の電子レンジ用包装袋の別の他の例を模式的に示した説明図である。
【発明を実施するための形態】
【００２６】
以下本発明を実施するための形態につき説明する。
図１は、本発明の電子レンジ用包装袋の一例を模式的に示した説明図である。
【００２７】
本例の電子レンジ用包装袋１００は、図１のように、重ね合わせたフィルムの周縁部を封止する周縁シール部１と周縁シール部１で囲まれた収納部２からなっていて、周縁シール部１の一辺に折込部を設けて底シール部３を設けた自立袋となっている。
【００２８】
底シール部３に対向する天辺部４は、開口部となっていて、収納物を充填後シールされて天シール部となり、底シール部３と左側シール部５と右側シール部６とで、周縁シール部１を形成する。この図の天辺部４の左側の一隅には、周縁シール部１の内縁ａが天辺部４から斜め左下に向かい、左側シール部５に到る直線になっていて、周縁シール部１の内縁ａが収納部２側に延設された形状となっている蒸気抜きシール部７が設けられている。
【００２９】
この蒸気抜きシール部７には、その外縁ｂより内縁ａに向けて、電子レンジ用包装袋１００の中心方向に向かう、蒸気抜き切込８を設けられている。この蒸気抜き切込８は、蒸気抜きシール部７の外縁ｂ側から入れられて、内縁ａからの距離が１〜６mmの位置まで設けられていることが好ましい。
【００３０】
また、蒸気抜きシール部７と隣接する、天辺部４の反対側の隅部の周縁シール部１には、広幅シール部９が設けられている。広幅シール部９は、その内縁が右側シール部６から左上方に向かい、蒸気抜き切込８の内縁ａ側先端より上になるまで延び、屈折して上方へ向かう形状となっている。
【００３１】
上記構成にすることによって、電子レンジにて加熱したときに、収納物から発生した蒸気などによって膨張して、収納部２が膨らみ、蒸気抜きシール部７の収納部２側へ突き出た内縁ａがシール後退し、また、収納部２が膨らんだことにより、蒸気抜き切込８から内縁ａに向けて裂けて、収納部２が外気と連通して、容易に蒸気が外気に放出される。
【００３２】
そして、電子レンジで加熱するとき、底シール部３が設けられているので、自立させて蒸気抜きシール部７を上にして加熱することができ、またそのまま取り出せば、電子レンジ内などが汚損されることがない。
【００３３】
また、店舗で陳列するときに、表面デザインなどが見やすいように、自立させて陳列することができる。さらに、広幅シール部９を設けてあるので、電子レンジで加熱して、収納部２が膨んだときに、蒸気抜きシール部７にその圧力を集中させることができる。また、加熱後に広幅シール部９を持てば、熱くなく持つことができる。
【００３４】
図２は、本発明の電子レンジ用包装袋の蒸気抜きシール部に設けた蒸気抜き切込又はスリットの形状例を示した部分拡大図である。
【００３５】
図２（Ａ）のように、蒸気抜きシール部の角から中心方向に向かって、蒸気抜き切込８を設けても良いし、図２（Ｂ）の蒸気抜きシール部の角から多少中心方向からずれた方向に向かって、蒸気抜き切込８を設けても良い。また、図２（Ｃ）のように、蒸気抜きシール部の角ではなく天辺部４側の外縁ｂから蒸気抜き切込８を設けても良いし、図２（Ｄ）のように、蒸気抜きシール部の角ではなく左側シール部５側の外縁ｂから蒸気抜き切込８を設けても良い。
【００３６】
そして、図２（Ｅ）のような、蒸気抜き切込８の代わりに、外縁ｂに接続しないが、外縁ｂ近くに達する蒸気抜きスリット１０を設けても良い。更には、図２（Ｆ）のように、破線状の蒸気抜きスリット１０を設けても良い。また、破線状の蒸気抜き切込８にしても
良い。蒸気抜きスリット１０は、外縁ｂからの距離が１〜６ｍｍの位置から設けることが好ましい。
【００３７】
図３は、本発明の電子レンジ用包装袋の他の例を模式的に示した説明図、図４（Ａ）は、図３の丸で囲んだＸの部分を取り出した説明図、図４（Ｂ）は、図３（Ａ）のＸの部分で、蒸気抜き切込から内縁に向けて裂けることを示す説明図である。
【００３８】
本例の電子レンジ用包装袋２００は、図３のように、重ね合わせたフィルムの周縁部を封止する周縁シール部１と周縁シール部１で囲まれた収納部２からなっていて、周縁シール部１の一辺に折込部を設けて底シール部３を設けた自立袋となっている。
【００３９】
底シール部３に対向する天辺部４は、開口部となっていて、収納物を充填後シールされて天シール部となり、底シール部３と左側シール部５と右側シール部６とで、周縁シール部１を形成する。
【００４０】
この図の天辺部４の左側の一隅には、周縁シール部１の内縁ａが天辺部４から斜め左下に向かう直線と、左側シール部５より斜め右上に向かう直線とからなって角をなして、前記収納部２側へ突き出た形状であって、また、周縁シール部１の外縁ｂが天辺部４と左側シール部５とにかかる斜めの直線状である蒸気抜きシール部７が設けられている。
【００４１】
この蒸気抜きシール部７には、図４の（Ａ）のように、その外縁ｂより内縁ａに向けて、電子レンジ用包装袋２００の中心方向に向かう、蒸気抜き切込８を設けられている。この蒸気抜き切込８は、蒸気抜きシール部７の外縁ｂ側から入れられて、内縁ａからの距離が１〜６mmの位置まで設けられていることが好ましい。
【００４２】
また、蒸気抜きシール部７と隣接する、天辺部４の反対側の隅部の周縁シール部１には、広幅シール部９が設けられている。広幅シール部９は、その内縁が右側シール部６から左上方に向かい、蒸気抜き切込８の内縁ａ側先端より上になるまで延び、屈折して上方へ向かう形状となっている。
【００４３】
上記構成にすることによって、電子レンジにて加熱したときに、収納物から発生した蒸気などによって膨張して、収納部２が膨らみ、蒸気抜きシール部７の収納部２側へ突き出た内縁ａがシール後退し、また、収納部２が膨らんだことにより、図４の（Ｂ）のように、蒸気抜き切込８から内縁ａに向けて裂けて、収納部２が外気と連通して、容易に蒸気が外気に放出される。
【００４４】
そして、電子レンジで加熱するとき、底シール部３が設けられているので、自立させて蒸気抜きシール部７を上にして加熱することができ、またそのまま取り出せば、電子レンジ内などが汚損されることがない。
【００４５】
また、店舗で陳列するときに、表面デザインなどが見やすいように、自立させて陳列することができる。さらに、広幅シール部９を設けてあるので、電子レンジで加熱して、収納部２が膨んだときに、蒸気抜きシール部７にその圧力を集中させることができる。また、加熱後に広幅シール部９を持てば、熱くなく持つことができる。
【００４６】
図５は、本発明の電子レンジ用包装袋のさらに他の例を模式的に示した説明図である。本例の電子レンジ用包装袋３００は、図３の電子レンジ用包装袋２００と蒸気抜きシール部７の形状が異なり、他は、電子レンジ用包装袋２００と同様である。
【００４７】
蒸気抜きシール部７の形状は、収納部２側へ突き出た切欠き部１１を設け、該切欠き部
１１の周縁をシールした蒸気抜きシール部を設けた形状である。具体的には、図の天辺部４の左側の一隅に、周縁シール部１の内縁ａが天辺部４から斜め左下に向かう直線と、左側シール部５より斜め右上に向かう直線とからなって角をなしていて、前記収納部２側へ突き出た形状であって、図３と同様であるが、周縁シール部１の外縁ｂは、内縁ａと略平行になっている。
【００４８】
すなわち、天辺部４から斜め左下に向かう直線と、左側シール部５より斜め右上に向かう直線とからなって角をなしている。また、周縁シール部１の外縁ｂが天辺部４と左側シール部５とにかかる斜めの直線状である蒸気抜きシール部７が設けられている。
【００４９】
この蒸気抜きシール部７にも、その外縁ｂより内縁ａに向けて、電子レンジ用包装袋３００の中心方向に向かう、蒸気抜き切込８が設けられている。この蒸気抜き切込８は、蒸気抜きシール部７の外縁ｂ側から入れられて、内縁ａからの距離が１〜６mmの位置まで設けられていることが好ましい。
【００５０】
上記構成にすることによって、電子レンジにて加熱したときに、収納物から発生した蒸気などによって膨張して、収納部２が膨らみ、蒸気抜きシール部７の収納部２側へ突き出た内縁ａがシール後退し、また、収納部２が膨らんだことにより、蒸気抜き切込８から内縁ａに向けて裂けて、収納部２が外気と連通して、容易に蒸気が外気に放出される。
【００５１】
そして、電子レンジで加熱するとき、底シール部３が設けられているので、自立させて蒸気抜きシール部７を上にして加熱することができ、またそのまま取り出せば、電子レンジ内などが汚損されることがない。
【００５２】
また、店舗で陳列するときに、表面デザインなどが見やすいように、自立させて陳列することができる。さらに、広幅シール部９を設けてあるので、電子レンジで加熱して、収納部２が膨んだときに、蒸気抜きシール部７にその圧力を集中させることができる。また、加熱後に広幅シール部９を持てば、熱くなく持つことができる。
【００５３】
図６は、本発明の電子レンジ用包装袋の別の他の例を模式的に示した説明図である。
本例の電子レンジ用包装袋４００も、図３の電子レンジ用包装袋２００と蒸気抜きシール部７の形状が異なり、他は、電子レンジ用包装袋２００と同様である。
【００５４】
図６の天辺部４の左側の一隅に設けられた、蒸気抜きシール部７の形状は、図５と同様に、収納部２側へ突き出た切欠き部１１を設け、該切欠き部１１の周縁をシールした蒸気抜きシール部を設けた形状である。
【００５５】
具体的には、蒸気抜きシール部７の内縁ａが、天辺部４から略垂直に下方に向かう直線と、左側シール部５より略水平に右に向かう直線と、それぞれ先端から内方に湾曲してさらに逆に湾曲して繋がる曲線からなり、曲線の部分が、収納部２側へ突き出た先端部分となっている。
【００５６】
そして、蒸気抜きシール部７の外縁ｂは、天辺部４から略垂直に下方に向かう直線と、左側シール部５より略水平に右に向かう直線とが、それぞれ先端から電子レンジ用包装袋４００の中心方向に湾曲して交わる形状となっている。
【００５７】
そして、外縁ｂが、それぞれの直線の先端から電子レンジ用包装袋４００の中心方向に湾曲して交わる点から、内縁ａに向けて蒸気抜き切込８を設けられている。この蒸気抜き切込８は、蒸気抜きシール部７の外縁ｂ側から入れられて、内縁ａからの距離が１〜６mmの位置まで設けられていることが好ましい。
【００５８】
上記構成にすることによって、電子レンジにて加熱したときに、収納物から発生した蒸気などによって膨張して、収納部２が膨らみ、蒸気抜きシール部７の収納部２側へ突き出た内縁ａがシール後退し、また、収納部２が膨らんだことにより、蒸気抜き切込８から内縁ａに向けて裂けて、収納部２が外気と連通して、容易に蒸気が外気に放出される。
【００５９】
そして、電子レンジで加熱するとき、底シール部３が設けられているので、自立させて蒸気抜きシール部７を上にして加熱することができ、またそのまま取り出せば、電子レンジ内などが汚損されることがない。
【００６０】
また、店舗で陳列するときに、表面デザインなどが見やすいように、自立させて陳列することができる。さらに、広幅シール部９を設けてあるので、電子レンジで加熱して、収納部２が膨んだときに、蒸気抜きシール部７にその圧力を集中させることができる。また、加熱後に広幅シール部９を持てば、熱くなく持つことができる。
【００６１】
本発明の電子レンジ用包装袋に用いるフィルムは、基材層とシーラント層が積層された積層フィルムが好ましく用いられる。基材層としては、ナイロン、ポリエチレンテレフタレート、ポリプロピレン等の樹脂の２軸延伸、あるいは、１軸延伸、未延伸のフィルムが好ましく使用できる。その場合の厚さは１２〜５０μｍ程度である。
【００６２】
基材層を多層にして設けても良い。多層の基材層としては、外層側から、ポリエチレンテレフタレート／ナイロン、ナイロン／ポリエチレンテレフタレート、ナイロン／無機酸化物蒸着ポリエチレンテレフタレート、ナイロン／ポリ塩化ビニリデン、ナイロン／エチレンビニル合うコール共重合体、などの積層したフィルムを用いることができる。蒸着に用いる無機酸化物としては、アルミナやシリカなどが好ましく用いられる。
【００６３】
シーラント層には、熱溶融性樹脂が用いられる。ポリプロピレン、あるいは、中密度ポリエチレンや、直鎖状低密度ポリエチレンなどが用いられる。特に、ポリプロピレンや、直鎖状低密度ポリエチレンが好ましく用いられる。また、これらの樹脂などからなる、多層の共押し出しフィルムを用いても良い。
【００６４】
シーラント層の厚さは、収納物の量によって、調整されるものであるが、５０μｍから１８０μｍの厚さが用いられやすい。
【００６５】
基材層とシーラント層の貼り合わせ方法、および、多層の基材層の基材どうしの貼り合わせ方法は、ドライラミネート法で行うことが好ましい。また、場合によっては、サンドイッチラミネート法で行ってもかまわないし、シーラント層を押出機から製膜しながら押出して、基材層に貼り合わせる押出ラミネート法で行っても良い。
【００６６】
また、絵柄印刷層を基材層の裏面に設けることができる。また、多層の基材層の場合は、基材どうしの層の間に絵柄印刷層を設けることができる。絵柄印刷層を設ける印刷方式は、特に限定するものではないが、通常、グラビア印刷、あるいは、フレキソ印刷が用いられる。
【００６７】
前述の電子レンジ用包装袋はいずれも、折込部を設けて底シール部とした自立袋の例で説明したが、本発明の電子レンジ用包装袋は自立袋に限られるものではない。通常の４方シール袋でも、1枚のフィルムを折り返して残りの３方をシールした３方袋でも良いし、背シールの袋でも良い。また、折込部を有する、サイドガゼット袋や、底ガゼット袋でも良い。
【００６８】
あるいは、重ね合わせる２枚のフィルムの一方をＺ状に折り曲げて、折り曲げた部分を立ち上げて立ち上がり部を設け、周縁部を密封した包装袋として、その立ち上がり部の上端の一隅に蒸気抜きシール部を設けても良い。また、他の隅部に広幅シール部を設けても良い。
【００６９】
本願発明の電子レンジ用包装袋の蒸気抜きシール部のシール強度は、周縁シール部のシール強度より弱いことが望ましい。このようにするには、蒸気抜きシール部のシールと周縁シール部のシールを別のヒートシールバーで行い、蒸気抜きシール部のシール温度を周縁シール部のシール温度より低くしたり、蒸気抜きシール部のシール時間を周縁シール部のシール時間を短くすればよい。
【００７０】
このように、蒸気抜きシール部のシール強度を、周縁シール部のシール強度より弱くすることで、、収納部に食品などの収納物を充填シールして、電子レンジにて加熱したときに、収納物から発生した蒸気などによって膨張して、収納部が膨らんだとき、蒸気抜きシール部の内縁のシール後退が、周縁シール部の内縁のシール後退より進みやすくなり、蒸気抜きシール部以外の周縁シール部で収納部が外気と連通して、蒸気あるいは収納物が突出してしまうことが無い。
【実施例】
【００７１】
以下に、本発明の具体的実施例について説明する。
【００７２】
アルミナ蒸着２軸延伸ポリエチレンテレフタレートフィルム１２μｍと、２軸延伸ナイロンフィルム１５μｍと未延伸ポリプロピレンフィルム６０μｍを用意し、ドライラミネート法でそれぞれの間を貼り合わせ、アルミナ蒸着２軸延伸ポリエチレンテレフタレートフィルム１２μｍ／２軸延伸ナイロンフィルム１５μｍ／未延伸ポリプロピレンフィルム６０μｍの層構成の積層フィルムを得た。
【００７３】
この積層フィルムを用いて、図３の電子レンジ用包装袋２００（横１６０ｍｍ、縦１４０ｍｍ、底シール部の折込部の縦４０ｍｍ）を製袋した。この電子レンジ用包装袋２００に開口部の天辺部４より、水１００ｇを充填し、天辺部４をシールして、天シール部とし、包装済み電子レンジ用包装袋２００とした。
【００７４】
この包装済み電子レンジ用包装袋２００をレトルト殺菌釜に入れ、スプレー方式のレトルト殺菌で１２０℃３０分の加熱殺菌を行った。そして、この殺菌済みの電子レンジ用包装袋２００を５００Ｗの電子レンジにて３分間加熱した。
【００７５】
上記の電子レンジ加熱において、実施した５袋は、いずれも、収納部２が膨らみ、蒸気抜きシール部７の収納部２側へ突き出た内縁ａがシール後退し、また、蒸気抜き切込８から内縁ａに向けて裂けて、収納部２が外気と連通して、問題なく蒸気が外気に放出された。
【符号の説明】
【００７６】
１００、２００、３００、４００・・・電子レンジ用包装袋
１・・・周縁シール部
２・・・収納部
３・・・底シール部
４・・・天辺部
５・・・左側シール部
６・・・右側シール部
７・・・蒸気抜きシール部
８・・・蒸気抜き切込
９・・・広幅シール部
１０・・・蒸気抜きスリット
１１・・・切欠き部
ａ・・・内縁
ｂ・・・外縁
【図１】
2012056596.tif 000003
【図２】
2012056596.tif 000004
【図３】
2012056596.tif 000005
【図４】
2012056596.tif 000006
【図５】
2012056596.tif 000007
【図６】
2012056596.tif 000008